(57)【要約】【課題】金属製表面材１と裏面材２間に芯材３を形成し、金属製表面材１の上下端部に雄雌連結構造を形成した横長で長尺状の乾式壁材Ｐにおいて、裏面材２を乾式壁材Ｐの裏面側から、ポリエチレン層Ａ、アルミ箔層Ｂ、ポリエチレン層Ａ、クラフト紙層Ｃ、ポリエチレン層Ａ、アルミ箔層Ｂ、ポリエチレン層Ａの順で積層されたシート状物とした乾式壁材である。【選択図】図５
2020041345.tif 000002
【特許請求の範囲】
【請求項１】
金属製表面材と裏面材間に芯材を形成し、金属製表面材の上下端部に雄雌連結構造を形成した横長で長尺状の乾式壁材において、裏面材を乾式壁材の裏面側から、ポリエチレン層、アルミ箔層、ポリエチレン層、クラフト紙層、ポリエチレン層、アルミ箔層、ポリエチレン層の順で積層されたシート状物としたことを特徴とする乾式壁材。
【発明の詳細な説明】
【技術分野】
【０００１】
本発明は建築、構築物の内装、あるいは外装を形成する乾式壁材に関するものである。
【背景技術】
【０００２】
一般に、金属製板材をロール成形、プレス成形等して加工し、化粧面に凹凸を形成し、金属製板材と裏面材間に芯材を形成した壁材は数多く上市されている。（例えば、特許文献１〜３参照）。
【先行技術文献】
【特許文献】
【０００３】
【特許文献１】特開平１１−２４０２９４号公報
【特許文献２】特開２００２−２３５４２３号公報
【特許文献３】特開２００９−１６７７７５号公報
【発明の概要】
【発明が解決しようとする課題】
【０００４】
特許文献１は「エンボス金属板」に係り、金属板をエンボスロール間に通して縦横溝目地を深くエンボシングする場合も金属板の両端の平坦部の平坦度を保つことが出来るようにしたものである。特許文献２は「壁材」に係り、凸部領域の表面に少なくとも４方向の略平行凹凸縞模様を形設して、光源の位置の変化、見る方向の変化によって、色調、色の濃淡が多様に変化するものが記載されている。さらに、特許文献３は「エンボス加工金属製外壁材」に係り、斜平面の位置が互いに異なる区画面を、それぞれ交互に長手方向に隣接する装飾面を形成したものであり、金属製表面材と裏面材間に合成樹脂発泡体よりなる芯材（断熱材）を形成したサンドイッチパネルである。
【０００５】
特許文献１〜３に示す裏面材は、硬質アルミ箔、アルミ蒸着クラフト紙、アルミクラフト紙、アルミタンカル紙等の一種からなるシートを貼り合わせたものである。しかしながら、硬質アルミ箔は厚みが薄く芯材となる合成樹脂発泡体のボイド（泡）やしわが目立ち、外観を損ねるものであった。また、アルミ蒸着クラフト紙、アルミクラフト紙か製品の形状変化を抑えるだけの強度が無かった。さらに、アルミタンカル紙は強度、価格に課題があった。
【課題を解決するための手段】
【０００６】
本発明はこのような欠点を解決するために、金属製表面材と裏面材間に芯材を形成し、金属製表面材の上下端部に雄雌連結構造を形成した横長で長尺状の乾式壁材において、裏面材を乾式壁材の裏面側から、ポリエチレン層、アルミ箔層、ポリエチレン層、クラフト紙層、ポリエチレン層、アルミ箔層、ポリエチレン層の順で積層されたシート状物とした乾式壁材を提供するものである。
【発明の効果】
【０００７】
本発明に係る乾式壁材によれば、（１）乾式壁材の機械強度が向上し、変形を防止出来る。（２）乾式壁材の経時変化による変形を防止出来る。（３）乾式壁材の耐風圧強度が向上する。等の特徴、効果がある。
【図面の簡単な説明】
【０００８】
【図１】本発明に係る乾式壁材の代表例を示す断面図である。
【図２】本発明に係る乾式壁材の代表例を示す部分拡大断面図である。
【図３】本発明に係る乾式壁材の施工状態を示す断面図である。
【図４】本発明に係る乾式壁材の裏面材の断面を拡大して示す拡大断面図である。
【図５】本発明に係る乾式壁材の裏面材の断面部分を示す部分拡大断面図である。
【発明を実施するための形態】
【実施例】
【０００９】
以下に図面を用いて、本発明に係る乾式壁材の一実施例について詳細に説明する。すなわち、乾式壁材Ｐは図１、図２（ａ）、（ｂ）、図３に示すように、金属製表面材１と裏面材２で例えば合成樹脂発泡体からなる芯材３をサンドイッチした乾式壁材Ｐである。また、図３は施工状態を示す断面図であり、αは壁下地（改修時の既存壁を含む）、βは固定具、γは連結部である。
【００１０】
金属製表面材１は金属薄板、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、塩化ビニル樹脂、ポリカーボネイト樹脂等（勿論、これらを各種色調に塗装したカラー板を含む）の一種をエンボスロール成形、あるいはプレス成形したものである。
【００１１】
また、裏面材２としてはアルミサンドクラフト紙からなるシート状物からなるものである。
【００１２】
裏面材２は図４、図５に示すような断面からなり、屋内側（乾式壁材Ｐの裏面側）から、ポリエチレン層Ａ、アルミ箔層Ｂ、ポリエチレン層Ａ、クラフト紙層Ｃ、ポリエチレン層Ａ、アルミ箔層Ｂ、ポリエチレン層Ａの順で積層されたシート状物である。
【００１３】
具体的な層の厚さ、紙の坪量（米坪）を示すと、屋内側から、ポリエチレン層Ａ（１５ミクロン）、アルミ箔層Ｂ（７ミクロン）、ポリエチレン層Ａ（１５ミクロン）、クラフト紙層Ｃ（７５ｇ／平米）、ポリエチレン層Ａ（１５ミクロン）、アルミ箔層Ｂ（７ミクロン）、ポリエチレン層Ａ（１５ミクロン）の順で積層されたアルミサンドクラフト紙よりなるシート状物である。
【００１４】
アルミ箔層Ｂは、軟質アルミ箔と硬質アルミ箔を含むものである。
【００１５】
クラフト紙層Ｃの代わりに無機質紙（炭酸カルシウム、水酸化アルミセラミック）に代えられ、その坪量（米坪）は１００〜１５０ｇ／平米である。
【００１６】
なお、各層の厚さ、紙の坪量（米坪）の許容範囲は、ポリエチレン層Ａ（１５〜５０ミクロン）、アルミ箔層Ｂ（６．５〜２００ミクロン）、クラフト紙層Ｃ（５０〜１２０ｇ／平米）である。
【００１７】
高密度ポリエチレンの連続耐熱温度は１２１度、中密度ポリエチレンの連続耐熱温度は１０５〜１２１度、低密度ポリエチレンの連続耐熱温度は８２〜１００度である。この中で耐熱性ポリエチレンは、低密度〜中密度ポリエチレンである。
【００１８】
芯材３となるウレタンフォームとの密着性を考慮すると、ポリエチレン層Ａは低密度ポリエチレンであり、芯材３となるウレタン中の触媒の影響を避けるためにアクリル酸とマイレン酸のポリエチレンコポリマーをポリエチレンの中に１％程度添加するものである。これ以上添加量を増やすとウレタンとの接着性に問題が生じる。
【００１９】
裏面材２は、アルミ箔層Ｂにてクラフト紙層Ｃをサンドイッチした構造となり、アルミ箔層Ｂの耐水性、耐伸縮性、変形防止により乾式壁材Ｐの経時変化による変形防止、乾式壁材Ｐの耐風圧強度の向上を図ることが出来るものである。
【００２０】
芯材３は例えばフェノールフォーム、ポリウレタンフォーム、ポリイソシアヌレートフォーム、塩化ビニルフォーム、ポリエチレンフォーム、ポリスチレンフォーム、ユリアフォーム等、の合成樹脂発泡体からなるものであり、金属製表面材１、もしくは裏面材２の裏面側に吐出し、加熱して反応・発泡・硬化させて金属製表面材１と裏面材２を一体に形成するものである。また、芯材３中には各種難燃材として軽量骨材（パーライト粒、ガラスビーズ、石膏スラグ、タルク石、シラスバルーン、水酸化アルミニウム等）、繊維状物（グラスウール、ロックウール、カーボン繊維、グラファイト等）を混在させ、耐火性、防火性を向上させることも出来る。
【００２１】
乾式壁材Ｐ同士は、係合片１０が嵌合溝１６へ、係合溝１１には嵌合片１４が連結され、固定面１５が釘等の固定具βにより壁下地αに固定されることにより、図３に示すように土台から軒に向かって複数段連結固定されるものである。
【００２２】
乾式壁材Ｐの全体形状の一例としては図１、図２（ａ）、（ｂ）に示すように、長尺で金属製の薄板からなる金属製表面材１と裏面材２間に芯材３をサンドイッチし、幅方向の下端に形成した雄型連結部４、上端に形成した雌型連結部５とから形成し、化粧面６の下端には下側壁７、上端には上側壁８を形成したものである。
【００２３】
さらに詳説すると、雄型連結部４は化粧面６下端を裏面側に屈曲した下側壁７と、下側壁７の先端を上方へ延設した上面７ａと、化粧面６の下端部分下側壁７と上面７ａとからなる突出片９と、上面７ａの先端を裏面側下方に垂下した係合片１０と、上面７ａと係合片１０とからなる係合溝１１とから形成したものである。
【００２４】
雌型連結部５は化粧面６の上端を裏面側に屈曲した上側壁８と、上側壁８の先端を上方に屈曲した目地底面８ａと、上側壁８と目地底面８ａ間に上方向に突出した段差１２と、目地底面８ａ先端を裏面側下方に屈曲した下面１３と、目地底面８ａと下面１３とからなる嵌合片１４と、下面１３の先端を上方に屈曲して突出した固定面１５と、下面１３と固定面１５とから形成した嵌合溝１６とから形成したものである。なお、Ｑは防水性、気密性強化のために形成したパッキンである。
【符号の説明】
【００２５】
α  壁下地
β  固定具
γ  連結目地
Ａ  ポリエチレン層
Ｂ  アルミ箔層
Ｃ  クラフト紙層
Ｑ  パッキン
１  金属製表面材
２  裏面材
３  芯材
４  雄型連結部
５  雌型連結部
６  化粧面
７  下側壁
７ａ  上面
８  上側壁
８ａ  目地底面
９  突出片
１０  係合片
１１  係合溝
１２  段差
１３  下面
１４  嵌合片
１５  固定面
１６  嵌合溝
【図１】
2020041345.tif 000003
【図２】
2020041345.tif 000004
【図３】
2020041345.tif 000005
【図４】
2020041345.tif 000006
【図５】
2020041345.tif 000007